(57)【要約】【課題】  観光経路を提供する経路情報システム１００において、目的地までの道順等、限定された経路情報を基に現在位置を確認しながら観光スポットを探索する不便さを解消するために、経路情報と位置、地図を統一的に処理し、限定された経路・目印・目的地だけではガイドできない、目的に応じて自由に設定された目的別コースを提供することを目的とする。【解決手段】  観光ガイド情報を提供する経路情報システム１００において、経路情報表示端末２００から登録した経路情報と経路情報表示端末２００の位置の履歴とを基に、経路情報サーバ３００は観光ガイドの経路情報を特定し、経路情報表示端末２００に特定した経路情報を送信する。経路情報表示端末２００は観光スポットの種別毎の記号を地図情報に重畳させて表示する。【選択図】    図１
2007271366.tif 000002
【特許請求の範囲】
【請求項１】
経路情報を受信する経路情報受信部と、
地図情報を受信する地図情報受信部と、
経路情報と地図情報とを関連付ける地図情報・経路情報表示処理部と、
経路情報と地図情報とを重畳表示する表示部と、
を備えることを特徴とする経路情報表示端末。
【請求項２】
経路情報サーバにネットワークを介して接続される上記経路情報表示端末は、さらに、
観光スポットの位置情報を入力する入力部と、
観光スポットの位置情報に当該観光スポットの識別子と入力順とを付加する経路情報入力処理部と、
観光スポットの識別子と入力順とを付加した観光スポットの位置情報を送信する入力経路情報送信部と、
を備えることを特徴とする請求項１記載の経路情報表示端末。
【請求項３】
上記経路情報表示端末の上記地図情報受信部が地図情報を受信し、
上記経路情報受信部が経路情報を受信し、
上記地図情報・経路情報表示処理部で経路情報と地図情報との重畳表示を判断処理後、
上記表示部が観光スポットの種別毎の表示図形・記号を含む経路情報と地図情報とを重畳表示すること
を特徴とする請求項１乃至請求項２いずれかに記載の経路情報表示端末。
【請求項４】
経路情報表示端末にネットワークを介して接続される経路情報サーバであり、
地図情報を記憶する地図情報記憶部と、
経路情報を記憶する経路情報記憶部と、
地図上の位置の履歴を求める端末経路判断部と、
経路情報を作成する経路情報作成部と、
経路情報表示端末の位置情報及び経路情報を受信し経路情報を送信する情報送受信部と
を備えることを特徴とする経路情報サーバ。
【請求項５】
上記端末経路判断部は、経路情報表示端末の現在位置と経路情報表示端末の位置履歴と地図上の位置情報とを比較して経路情報表示端末の地図上の位置の履歴を求めることを特徴とする請求項４記載の経路情報サーバ。
【請求項６】
上記経路情報サーバは、さらに、
経路情報表示端末から受信した経路情報の各観光スポットの識別子及び順序を基に一連の観光スポットの経路情報を作成して経路情報記憶部に登録する経路情報登録部
を備えることを特徴とする請求項４乃至請求項５いずれかに記載の経路情報サーバ。
【請求項７】
上記経路情報登録部は、予め経路情報を経路情報記憶部に登録することを特徴とする請求項４乃至請求項６いずれかに記載の経路情報サーバ。
【請求項８】
上記経路情報作成部は、経路情報表示端末の地図上の位置の履歴と経路情報記憶部に登録された経路情報とを比較して上記履歴に該当する観光スポットを特定し、当該観光スポットの全部又は一部を含む経路情報を特定することを特徴とする請求項４乃至請求項７いずれかに記載の経路情報サーバ。
【請求項９】
上記経路情報作成部は、経路情報に観光スポットの種別毎に表示する図形・記号の情報を付加することを特徴とする請求項４乃至請求項８いずれかに記載の経路情報サーバ。
【請求項１０】
経路情報表示端末と経路情報サーバとがネットワークを介して接続される経路情報システムであり、
上記経路情報表示端末は、
観光スポットの位置情報を入力する入力部と、
観光スポットの位置情報に当該観光スポットの識別子と入力順とを付加する経路情報入力処理部と、
観光スポットの識別子と入力順とを付加した観光スポットの位置情報を送信する入力経路情報送信部と、
上記経路情報表示端末の位置を取得する端末位置情報処理部と、
経路情報を受信する経路情報受信部と、
地図情報を受信する地図情報受信部と、
経路情報と地図情報とを関連付ける地図情報・経路情報表示処理部と、
観光スポットの種別毎の表示図形・記号を含む経路情報と地図情報とを重畳表示する表示部と
を備え、
上記経路情報サーバは、
地図情報を記憶する地図情報記憶部と、
経路情報を記憶する経路情報記憶部と、
地図上の位置の履歴を求める端末経路判断部と、
経路情報を作成する経路情報作成部と、
上記経路情報表示端末の位置情報及び経路情報を受信し経路情報を送信する情報送受信部と
上記経路情報表示端末から受信した経路情報の各観光スポットの識別子及び順序を基に一連の観光スポットの経路情報を経路情報記憶部に登録する経路情報登録部と
を備え、
上記端末経路判断部は上記経路情報表示端末の現在位置と経路情報表示端末の位置履歴と地図上の位置情報とを比較して経路情報表示端末の地図上の位置の履歴を求め、
上記経路情報作成部は上記経路情報表示端末の地図上の位置の履歴と経路情報記憶部に登録された経路情報とを比較して上記履歴に該当する観光スポットと当該観光スポットの全部又は一部を含む経路情報とを特定し経路情報に観光スポットの種別毎に表示する図形・記号の情報を付加すること
を特徴とする経路情報システム。
【請求項１１】
経路情報表示端末の位置情報を受信する端末位置情報受信ステップと、
経路情報表示端末の現在位置と経路情報表示端末の位置履歴と地図上の位置情報とを比較して経路情報表示端末の地図上の位置の履歴を求めて地図情報記憶部から経路情報表示端末の現在位置近傍の地図情報を取得する端末経路判断ステップと、
経路情報表示端末の地図上の位置の履歴と経路情報記憶部に登録された経路情報とを比較して上記履歴に該当する観光スポットを特定する経路情報作成ステップと、
経路情報を経路情報表示端末へ送信する経路情報送信ステップと
をコンピュータに実行させることを特徴とする経路情報プログラム。
【請求項１２】
上記経路情報作成ステップは、観光スポットの全部又は一部を含む経路情報を特定することをコンピュータに実行させることを特徴とする請求項１１記載の経路情報プログラム。
【請求項１３】
上記経路情報作成ステップは、経路情報に観光スポットの種別毎に表示する図形・記号の情報を付加することをコンピュータに実行させることを特徴とする請求項１１乃至請求項１２いずれかに記載の経路情報プログラム。
【発明の詳細な説明】
【技術分野】
【０００１】
本発明は、例えば、測位情報と地図情報とを利用して携帯型電子情報端末に経路情報を提供する分野に属する。
【背景技術】
【０００２】
携帯電話や電子書籍端末等の携帯型電子情報端末で地図を利用してナビゲーションを行うシステムにおいては、これまで、携帯型電子情報端末の情報記憶部に予め記憶された情報、ＣＤ−ＲＯＭやＤＶＤ−ＲＯＭなどの記憶媒体で提供された情報若しくはネットワークを介して授受された情報に基づいて現在位置から目的地までの道順等を限定された経路情報で提供するものが見られる。但し、現在位置及び通過した履歴を基に、その履歴と目的とに応じて設定されたコースをガイドするものは無かった。
かかる情報の利用者には、ナビゲーションシステムにより提供された経路情報の他に地図やガイドブック等を見比べて自分の現在位置を確認しながら観光スポットを探索するという手間がかかっていた。
特開２００３−２５６４３１号公報及び特開２００４−１３９５６０号公報には、端末に対して通信によって予め設定した観光コースを文字、画像により提供する装置・システムが開示されている。
【特許文献１】特開２００３−２５６４３１号公報
【特許文献２】特開２００４−１３９５６０号公報
【発明の開示】
【発明が解決しようとする課題】
【０００３】
本発明は、かかる不便さを解消するために、経路情報と現在位置と地図とを統一的に処理し、限定された経路・目印・目的地だけではガイドできない目的別コースを目的に応じて自由に設定して提供できるようにすることを目的とする。
【課題を解決するための手段】
【０００４】
本発明にかかる経路情報表示端末は、経路情報表示端末の位置を取得して経路情報表示端末の位置情報を送信する端末位置情報処理部と、端末位置情報処理部が送信した位置情報に対応する経路情報を受信する経路情報受信部と、端末位置情報処理部が送信した位置情報に対応する地図情報を受信する地図情報受信部と、上記経路情報受信部が受信した経路情報と上記地図情報受信部が受信した地図情報とを関連付けて記憶機器に記憶する地図情報・経路情報表示処理部と、上記地図情報・経路情報表示処理部が関連付けた経路情報と地図情報とを表示装置に重畳表示する表示部とを備えることを特徴とする。
【０００５】
また、上記経路情報表示端末は、さらに、観光スポットの位置情報を入力する入力部と、上記入力部が入力した観光スポットの位置情報に各観光スポットの識別子と上記入力部が入力した各観光スポットの位置情報の入力順とを付加する経路情報入力処理部と、上記経路情報入力処理部が観光スポットの識別子と観光スポットの位置情報の入力順とを付加した観光スポットの位置情報を送信する入力経路情報送信部とを備えることを特徴とする。
【０００６】
また、上記経路情報表示端末の上記地図情報受信部が地図情報を受信し、上記経路情報受信部が経路情報を受信し、上記地図情報・経路情報表示処理部で経路情報と地図情報とを重畳表示することを判断した後、上記表示部が観光スポットの種別毎の表示図形と表示記号との少なくともいずれかを含む経路情報と地図情報とを表示装置に重畳表示することを特徴とする。
【０００７】
次に、本発明にかかる経路情報サーバは、地図情報を記憶する地図情報記憶部と、経路情報を記憶する経路情報記憶部と、上記地図情報記憶部に記憶された地図情報が示す地図上における経路情報表示端末の位置の履歴を求める端末経路判断部と、上記経路情報記憶部に記憶された経路情報に基づいて新たに経路情報を作成する経路情報作成部と、上記端末経路判断部が経路情報表示端末の位置の履歴を求めるための経路情報表示端末の位置情報及び上記経路情報記憶部が記憶する経路情報を受信し上記経路情報作成部が作成した経路情報を送信する情報送受信部とを備えることを特徴とする。
【０００８】
また、上記端末経路判断部は、経路情報表示端末の現在位置と経路情報表示端末の位置履歴と地図上の位置情報とに基づいて経路情報表示端末の地図上の位置の履歴を求めることを特徴とする。
【０００９】
また、上記経路情報サーバは、さらに、上記情報送受信部が経路情報表示端末から受信した経路情報に示される各観光スポットの識別子と各観光スポットの観光順序とを基に一連の観光スポットの経路情報を作成し、作成した経路情報を上記経路情報記憶部に登録する経路情報登録部を備えることを特徴とする。
【００１０】
また、上記経路情報登録部は、経路情報を予め上記経路情報記憶部に登録することを特徴とする。
【００１１】
また、上記経路情報作成部は、上記端末経路判断部が求めた経路情報表示端末の地図上の位置の履歴と上記経路情報記憶部に登録された経路情報とに基づいて経路情報表示端末の移動経路に位置する観光スポットを特定し、特定した観光スポットの全部又は一部を含む経路情報を新たに作成することを特徴とする。
【００１２】
また、上記経路情報作成部は、経路情報に観光スポットの種別毎に表示する図形と記号との少なくともいずれかの情報を付加して新たな経路情報を作成することを特徴とする。
【００１３】
次に、本発明にかかる経路情報システムは、経路情報を入力して表示する経路情報表示端末と経路情報を記憶管理する経路情報サーバとがネットワークを介して接続される経路情報システムであり、上記経路情報表示端末は、観光スポットの位置情報を入力する入力部と、上記入力部が入力した観光スポットの位置情報に各観光スポットの識別子と上記入力部が入力した各観光スポットの位置情報の入力順とを付加する経路情報入力処理部と、上記経路情報入力処理部が観光スポットの識別子と観光スポットの位置情報の入力順とを付加した観光スポットの位置情報を送信する入力経路情報送信部と、経路情報表示端末の位置を取得する端末位置情報処理部と、経路情報を受信する経路情報受信部と、地図情報を受信する地図情報受信部と、上記経路情報受信部が受信した経路情報と上記地図情報受信部が受信した地図情報とを関連付けて記憶する地図情報・経路情報表示処理部と、上記地図情報・経路情報表示処理部関連付けた観光スポットの種別毎の表示図形と表示記号との少なくともいずれかを含む経路情報と地図情報とを表示装置に重畳表示する表示部とを備え、上記経路情報サーバは、地図情報を記憶する地図情報記憶部と、経路情報を記憶する経路情報記憶部と、上記地図情報記憶部に記憶された地図情報が示す地図上における上記経路情報表示端末の位置の履歴を求める端末経路判断部と、新たに経路情報を作成する経路情報作成部と、上記端末経路判断部が上記経路情報表示端末の位置の履歴を求めるための上記経路情報表示端末の位置情報及び上記経路情報記憶部が記憶する経路情報を受信し上記経路情報作成部が作成した経路情報を送信する情報送受信部と、上記経路情報表示端末から受信した経路情報に示される各観光スポットの識別子と各観光スポットの観光順序とを基に一連の観光スポットの経路情報を作成して上記経路情報記憶部に登録する経路情報登録部とを備え、上記端末経路判断部は上記経路情報表示端末の現在位置と上記経路情報表示端末の位置履歴と地図上の位置情報とに基づいて上記経路情報表示端末の地図上の位置の履歴を求め、上記経路情報作成部は上記端末経路判断部が求めた上記経路情報表示端末の地図上の位置の履歴と上記経路情報記憶部に登録された経路情報とに基づいて上記経路情報表示端末の移動経路に位置する観光スポットを特定し当該観光スポットの全部又は一部を含む経路情報を作成し観光スポットの種別毎に表示する図形と記号との少なくともいずれかの情報を作成した経路情報に付加して新たな経路情報を作成することを特徴とする。
【００１４】
次に、本発明にかかる経路情報プログラムは、経路情報表示端末の位置情報を受信する端末位置情報受信ステップと、経路情報表示端末の現在位置と経路情報表示端末の位置履歴と地図上の位置情報とに基づいて経路情報表示端末の地図上の位置の履歴を求めて地図情報記憶部から経路情報表示端末の現在位置近傍の地図情報を取得する端末経路判断ステップと、経路情報表示端末の地図上の位置の履歴と経路情報記憶部に登録された経路情報とに基づいて経路情報表示端末の移動経路に位置する観光スポットを特定する経路情報作成ステップと、経路情報を経路情報表示端末へ送信する経路情報送信ステップとをコンピュータに実行させることを特徴とする。
【００１５】
また、上記経路情報作成ステップは、観光スポットの全部又は一部を含む経路情報を特定することをコンピュータに実行させることを特徴とする。
【００１６】
また、上記経路情報作成ステップは、経路情報に観光スポットの種別毎に表示する図形と記号との少なくともいずれかの情報を付加することをコンピュータに実行させることを特徴とする。
【発明の効果】
【００１７】
本発明は、経路情報と現在位置と地図とを統一的に処理し、限定された経路・目印・目的地に制限されずに、現在位置及び通過した位置の履歴を基に、通過した位置の履歴と目的とに応じて設定されたコースのガイドを提供できると共に、目的に応じて自由に設定された目的別コースを提供できる。また、本発明は、各スポットの種類毎に色・形状を区別した情報を表示することで、端末画面の地図上で観光目的の再確認機能やコースの順番等の一元表示機能を提供できる。
【発明を実施するための最良の形態】
【００１８】
以下、本発明に関する実施の形態を図面に基づいて説明する。
【００１９】
図１は、実施の形態にかかる経路情報表示端末２００と経路情報サーバ３００との機能ブロック図である。
【００２０】
経路情報システムは経路情報表示端末２００と経路情報サーバ３００とを有する。
経路情報表示端末２００は、端末位置情報処理部２１０、入力部２２０、経路情報入力処理部２２１、入力経路情報送信部２２２、表示部２３０、地図情報・経路情報表示処理部２３１、経路情報受信部２３２、地図情報受信部２３３を備える。
端末位置情報処理部２１０は、経路情報表示端末２００の位置（例えば、座標）を取得し、該経路情報表示端末２００の位置情報を経路情報サーバ３００へ送信する。端末位置情報処理部２１０は、例えば、測位衛星４００（ＧＰＳ（Ｇｌｏｂａｌ  Ｐｏｓｉｔｉｏｎｉｎｇ  Ｓｙｓｔｅｍ）／準天頂衛星）や高精度測位サービスサーバ４１０を利用して経路情報表示端末２００の位置情報を作成する。
入力部２２０は、経路情報表示端末２００のポイントペン等の入力デバイスとのインタフェースであって、当該入力デバイスのＧＵＩ（Ｇｒａｐｈｉｃａｌ  Ｕｓｅｒ  Ｉｎｔｅｒｆａｃｅ）機能によって観光スポットの位置情報を入力する。
経路情報入力処理部２２１は、入力部２２０から入力された観光スポットの位置情報に各観光スポットの識別子と入力部２２０から入力された各観光スポットの位置情報の入力順とを付加する。観光スポットの位置情報の入力順は観光スポットの観光順序を示す。
入力経路情報送信部２２２は、経路情報入力処理部２２１で処理された観光スポットの位置情報を観光スポットの経路情報として経路情報サーバ３００へ送信する。
経路情報受信部２３２は、経路情報サーバ３００から経路情報を受信する。
地図情報受信部２３３は、経路情報サーバ３００から地図情報を受信する。
地図画像・経路情報表示処理部２３１は、経路情報受信部２３２で受信した経路情報と地図情報受信部２３３で受信した地図情報とを関連付けて重畳表示するかどうかを判断する。
表示部２３０は、地図情報・経路情報表示処理部２３１で重畳表示すると判断した経路情報と地図情報とを重畳させて表示装置に表示する。
【００２１】
経路情報サーバ３００は、地図情報記憶部３１０、経路情報記憶部３１１、端末経路判断部３３０、経路情報作成部３４０、情報送受信部３２０を備える。
【００２２】
情報送受信部３２０は、経路情報表示端末２００への地図情報と経路情報との送信と、経路情報表示端末２００からの位置情報の受信とを行う。
【００２３】
地図情報記憶部３１０は、地図情報（地図画像データ、数値データ等）及び地図に含まれる情報を記憶している。地図情報及び地図に含まれる情報とは、例えば、地名や道路名などの文字データ、駅前・観光地などの地図や市町村のマークなどの画像データ、道路情報（道路の地図データ、道路画像データ等）などである。
経路情報記憶部３１１は、経路情報登録部３５０で登録した観光スポットの経路情報及び地図に示される観光スポットに関する各種情報を記憶している。ここで、観光スポットの経路情報は、観光スポットのコース種別（寺社巡りコース、七福神ルート、美術館巡りルート、滝巡りコース、レストラン・喫茶店巡りルート等）に関する情報、識別子及び観光順序等を元に合成し登録した一連の観光スポットの経路に関する情報などである。また、観光スポットに関する各種情報とは、例えば、観光のガイド情報、店舗の情報、それらの情報の地図上の位置などである。
端末経路判断部３３０は、経路情報表示端末２００の地図上の位置の履歴を求める。
経路情報作成部３４０は、経路情報表示端末２００の経路情報を作成する。
【００２４】
経路情報システム１００は、上記のように構成した経路情報表示端末２００と経路情報サーバ３００とを有することにより、経路情報表示端末２００から経路情報サーバ３００に観光スポットの経路情報を登録することができると共に、経路情報サーバ３００から経路情報表示端末２００に観光スポットの経路情報を提供することができる。
以下において、経路情報表示端末２００から経路情報サーバ３００に観光スポットの経路情報を登録する経路情報の登録処理を図２に基づいて説明し、経路情報サーバ３００から経路情報表示端末２００に観光スポットの経路情報を提供する経路情報の作成・送信処理を図３に基づいて説明する。
【００２５】
図２は、実施の形態にかかる経路情報サーバ３００が実行する経路情報の登録処理の動作を表すフローチャートである。図２に基づいて、経路情報サーバ３００が実行する経路情報の登録処理の動作を説明する。
「〜部」で説明する経路情報サーバ３００と経路情報表示端末２００との各構成要素は中央処理装置を用いて以下の処理を実行する。
【００２６】
端末経路情報受信ステップＳ１０１では、経路情報サーバ３００の情報送受信部３２０は、経路情報表示端末２００の入力経路情報送信部２２２から観光スポットの経路情報を受信する。
このとき、経路情報表示端末２００では、まず、入力部２２０がユーザが経路情報サーバ３００に登録したい観光スポットに関して位置情報を入力する。入力部２２０が位置情報を入力した観光スポットを入力観光スポットとする。次に、経路情報入力処理部２２１は各入力観光スポットに対して識別子を生成する。また、経路情報入力処理部２２１は入力部２２０が入力した入力観光スポットの入力順の情報を入力観光スポットを観光する順序（観光する経路）を示すの観光順序情報として生成する。そして、入力経路情報送信部２２２は入力観光スポットの位置情報と識別子と観光順序情報とを観光スポットの経路情報として経路情報サーバ３００の情報送受信部３２０に送信する。
【００２７】
経路情報登録ステップＳ１０２では、経路情報サーバ３００の経路情報登録部３５０は、情報送受信部３２０が経路情報表示端末２００から受信した観光スポットの経路情報に示される各観光スポットの識別子と観光スポットの観光順序情報とを基に一連の観光スポットの経路情報を登録経路情報として新たに作成する。そして、経路情報登録部３５０は登録経路情報を経路情報記憶部３１１に登録する。ここで、観光スポットの経路情報は、当該経路情報登録ステップＳ１０２を経ずに、予め推奨する内容で経路情報記憶部３１１に登録しておいてもよい。一連の観光スポットの経路情報とは、例えば、寺社巡りコース、七福神ルート、美術館巡りルート、滝巡りコース、レストラン・喫茶店巡りルート等の目的に応じて自由に設定された目的別コースのガイド情報を示す。
【００２８】
図３は、実施の形態にかかる経路情報サーバ３００が実行する経路情報の作成・送信処理の動作を表すフローチャートである。図３に基づいて、経路情報サーバ３００が実行する経路情報の作成・送信処理の動作を説明する。
ここでは、経路情報記憶部３１１が記憶している観光スポットに関する各種情報とは、観光のガイド情報であるとする。
「〜部」で説明する経路情報サーバ３００と経路情報表示端末２００との各構成要素は中央処理装置を用いて以下の処理を実行する。
【００２９】
端末位置情報受信ステップＳ２０１では、経路情報サーバ３００の情報送受信部３２０は、経路情報表示端末２００の端末位置情報処理部２１０から経路情報表示端末２００の位置情報を受信する。
このとき、経路情報表示端末２００の端末位置情報処理部２１０は、測位衛星４００および高精度測位サービスサーバ４１０を利用して測位処理を行い、経路情報表示端末２００の位置情報を作成し、経路情報表示端末２００の位置情報を経路情報サーバ３００の情報送受信部３２０に送信する。高精度測位サービスサーバ４１０とは、例えば、ＧＰＳ測位で生じる誤差を補正した高精度な位置情報を提供するサーバである。端末位置情報処理部２１０は測位衛星４００が送信したＧＰＳ電波に関する受信情報を高精度測位サービスサーバ４１０に送信し、高精度測位サービスサーバ４１０から経路情報表示端末２００の位置情報を受信する。但し、端末位置情報処理部２１０は、高精度測位サービスサーバ４１０を利用せず、自らがＧＰＳ測位を行って位置情報を作成してもよい。
また、端末位置情報処理部２１０が作成する位置情報は複数回の測位結果の履歴（以下、位置履歴とする）を示し、過去の測位結果が示す位置から現在の測位結果が示す位置への変位方向は経路情報表示端末２００の進行方向、移動経路を表す。
また、端末位置情報処理部２１０は設定された出発地、目的地、現在地などを位置情報として作成してもよい。
【００３０】
端末経路判断ステップＳ２０２では、経路情報サーバ３００の端末経路判断部３３０は、まず、経路情報表示端末２００の位置情報に基づいて、経路情報表示端末２００の現在位置の近傍を示す地図情報を地図情報記憶部３１０から取得する。次に、端末経路判断部３３０は、経路情報表示端末２００の現在位置と経路情報表示端末２００の位置履歴と地図情報が示す地図上の位置情報とに基づいて経路情報表示端末２００の地図上の位置の履歴を求める。
【００３１】
経路情報作成ステップＳ２０３では、経路情報サーバ３００の経路情報作成部３４０は、経路情報表示端末２００の地図上の位置の履歴と経路情報記憶部３１１に登録されている観光スポットの経路情報とに基づいて観光スポットを特定し、特定した観光スポットの全部又は一部を含む経路情報を提供経路情報として新たに作成する。例えば、経路情報作成部３４０は経路情報表示端末２００の進行方向に位置する観光スポット、経路情報表示端末２００が通過・訪問済みの観光スポット、経路情報表示端末２００の現在位置から特定の範囲内に位置する観光スポット、経路情報表示端末２００の目的地から特定の範囲内に位置する観光スポットなどを特定する。このとき、経路情報作成部３４０は、該経路情報に観光スポットの種別毎に表示する図形と記号との少なくともいずれかの情報を提供経路情報に付加する。観光スポットの種別毎に表示する図形と記号との少なくともいずれかの情報とは、例えば、履歴の観光スポット（通過済みの観光スポット）は灰色の小円で表示し、経路情報表示端末２００の現在位置は赤色の三角形で表示し、経路情報表示端末２００の現在位置の先に位置する観光スポットは赤色の星形で表示し、経路情報表示端末２００が未通過の経路に位置する観光スポットは黄色の大円等の図形又は記号で表示することなどを示す図形情報である。経路情報作成部３４０は、さらに、提供経路情報に経路上の観光スポットの情報（以下、観光スポット情報とする）を付加する。ここで、観光スポット情報は、観光名所の地名、建造物、遺跡、店舗、人工又は天然の造形物等の観光物の名称などである。
【００３２】
経路情報送信ステップＳ２０４では、経路情報サーバ３００の情報送受信部３２０は、端末経路判断部３３０が取得した地図情報と経路情報作成部３４０が作成した提供経路情報とを経路情報表示端末２００へ送信する。
経路情報送信ステップＳ２０４において経路情報サーバ３００の情報送受信部３２０が地図情報と提供経路情報とを送信した際、経路情報表示端末２００では、地図情報受信部２３３が地図情報を受信し、経路情報受信部２３２が提供経路情報を受信し、地図情報・経路情報表示処理部２３１が提供経路情報と地図情報とを重畳表示するかの判断処理を行い、地図情報・経路情報表示処理部２３１が提供経路情報と地図情報とを重畳表示すると判断した場合、表示部２３０が観光スポットの種別毎の表示図形・表示記号を含む提供経路情報と地図情報とを表示装置に重畳表示する。例えば、地図情報・経路情報表示処理部２３１は、提供経路情報が示す観光スポットの全てについて提供経路情報と地図情報とを重畳させて表示すると判断してもよいし、提供経路情報が示す観光スポットのうちで最も経路情報表示端末２００の近くにある観光スポットについて提供経路情報と地図情報とを重畳させて表示すると判断してもよい。
【００３３】
図４は、経路情報表示端末２００の表示部２３０が表示装置に表示する経路情報の表示例である。
【００３４】
実施の形態にかかる経路情報サーバ３００によれば、地図情報と離れて存在する情報を、地図情報と併せた情報とすることが可能である。そして、経路情報表示端末２００は、経路情報サーバ３００が作成した経路情報を表示することが可能である。また、経路情報表示端末２００は、表示する機能、入力する機能と位置を特定する機能のみ備えていることで足りる。
【００３５】
図５は、実施の形態における経路情報システム１００の外観の一例を示す図である。
図５において、経路情報システム１００は、経路情報サーバ３００、ＣＲＴ（Ｃａｔｈｏｄｅ・Ｒａｙ・Ｔｕｂｅ）やＬＣＤ（液晶）の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｋ・  Ｄｒｉｖｅ）、ＣＤＤ９０５（コンパクトディスク装置）、プリンタ装置９０６、スキャナ装置９０７、マイク９０８、スピーカー９０９、データベース９１０などのハードウェア資源を備え、これらはケーブルや信号線で接続されている。
経路情報サーバ３００は、コンピュータであり、ファクシミリ機９３２、電話器９３１とケーブルで接続され、また、ＬＡＮ９４２（ローカルエリアネットワーク）、ゲートウェイ９４１を介してインターネット９４０に接続されている。
また、経路情報システム１００はインターネット９４０を介して経路情報サーバ３００に接続する経路情報表示端末２００を備える。
経路情報表示端末２００は無線または有線で通信を行う通信機を有して測位衛星４００からのＧＰＳ電波の受信や経路情報サーバ３００とのデータ送受信を行う。また、経路情報表示端末２００は液晶画面の表示装置９０１やキーボード９０２（テンキー、十字キー）も有する。
【００３６】
図６は、実施の形態における経路情報表示端末２００と経路情報サーバ３００とのハードウェア資源の一例を示す図である。
図６において、経路情報表示端末２００と経路情報サーバ３００とは、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、磁気ディスク装置９２０と接続され、これらのハードウェアデバイスを制御する。また、経路情報サーバ３００が備えるＣＰＵ９１１はマウス９０３、ＦＤＤ９０４、ＣＤＤ９０５、プリンタ装置９０６、スキャナ装置９０７、マイク９０８、スピーカー９０９、データベース９１０にも接続される。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶機器、記憶装置あるいは記憶部の一例である。
通信ボード９１５、キーボード９０２、スキャナ装置９０７、ＦＤＤ９０４などは、入力機器、入力装置あるいは入力部の一例である。
また、通信ボード９１５、表示装置９０１、プリンタ装置９０６などは、出力機器、出力装置あるいは出力部の一例である。
【００３７】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
磁気ディスク装置９２０には、ＯＳ９２１（オペレーティングシステム）、ウィンドウシステム９２２、プログラム群９２３、ファイル群９２４が記憶されている。プログラム群９２３のプログラムは、ＣＰＵ９１１、ＯＳ９２１、ウィンドウシステム９２２により実行される。
【００３８】
上記プログラム群９２３には、実施の形態において「〜部」、「〜手段」として説明する機能を実行するプログラムが記憶されている。プログラムは、ＣＰＵ９１１により読み出され実行される。
ファイル群９２４には、実施の形態において、「〜部」や「〜手段」の機能を実行した際の「〜の判定結果」、「〜の計算結果」、「〜の処理結果」などの結果データ、「〜部」や「〜手段」の機能を実行するプログラム間で受け渡しするデータ、その他の情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示・抽出のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号値は、バス９１２や信号線やケーブルその他の伝送媒体によりオンライン伝送される。
【００３９】
また、実施の形態において「〜部」、「〜手段」として説明するものは、「〜回路」、「〜装置」、「〜機器」、「手段」であってもよく、また、「〜ステップ」、「〜手順」、「〜処理」であってもよい。すなわち、「〜部」、「〜手段」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、経路情報プログラムは、「〜部」、「〜手段」としてコンピュータを機能させるものである。あるいは、「〜部」、「〜手段」の手順や方法をコンピュータに実行させるものである。
【産業上の利用可能性】
【００４０】
本発明は、上記実施の形態における経路情報を各種の都市、地域情報に関する経路情報、あるいは、各種施設内の順路の情報に置き換えることによって、観光ガイドに限らず、各種の経路に関連ある様々な情報を案内する各種の案内システムなどに利用することができる。
【図面の簡単な説明】
【００４１】
【図１】実施の形態にかかる経路情報表示端末２００と経路情報サーバ３００との機能ブロック図である。
【図２】実施の形態にかかる経路情報サーバ３００が実行する経路情報の登録処理の動作を表すフローチャートである。
【図３】実施の形態にかかる経路情報サーバ３００が実行する経路情報の作成・送信処理の動作を表すフローチャートである。
【図４】経路情報表示端末２００の表示部２３０が表示装置に表示する経路情報の表示例である。
【図５】実施の形態における経路情報システム１００の外観の一例を示す図である。
【図６】実施の形態における経路情報表示端末２００と経路情報サーバ３００とのハードウェア資源の一例を示す図である。
【符号の説明】
【００４２】
１００  経路情報システム、２００  経路情報表示端末、２１０  端末位置情報処理部、２２０  入力部、２２１  経路情報入力処理部、２２２  入力経路情報送信部、２３０  表示部、２３１  地図情報・経路情報表示処理部、２３２  経路情報受信部、２３３  地図情報受信部、３００  経路情報サーバ、３１０  地図情報記憶部、３１１  経路情報記憶部、３２０  情報送受信部、３３０  端末経路判断部、３４０  経路情報作成部、３５０  経路情報登録部、４００  測位衛星、４１０  高精度測位サービスサーバ、９０１  表示装置、９０２  キーボード、９０３  マウス、９０４  ＦＤＤ、９０５  ＣＤＤ、９０６  プリンタ装置、９０７  スキャナ装置、９０８  マイク、９０９  スピーカー、９１０  データベース、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ。
【図１】
2007271366.tif 000003
【図２】
2007271366.tif 000004
【図３】
2007271366.tif 000005
【図４】
2007271366.tif 000006
【図５】
2007271366.tif 000007
【図６】
2007271366.tif 000008